(57)【要約】      （修正有）【課題】簡単な構造で、小物などを置くことが可能で、かつファッション性が高いフロアマットを提供する。【解決手段】座席部の足元に敷設する車両用フロアマットであって、マット１０の表面に、立体的なモチーフ２０を設けた。立体的なモチーフ２０が着脱可能である。立体的なモチーフ２０は、マット１０の表面を仕切る仕切り壁を形成する。立体的なモチーフ２０は、飾りであり、立体的なモチーフ２０は、着脱可能で清掃ブラシとして機能し、また、立体的なモチーフ２０は、消臭剤または芳香剤として機能することができる。【選択図】図１
2013233885.tif 000002
【特許請求の範囲】
【請求項１】
座席部の足元に敷設する車両用フロアマットであって、
マットの表面に、立体的なモチーフを設けたことを特徴とする車両用フロアマット。
【請求項２】
前記立体的なモチーフが着脱可能であることを特徴とする請求項１に記載の車両用フロアマット。
【請求項３】
前記立体的なモチーフは、前記マットの表面を仕切る仕切り壁を形成することを特徴とする請求項１または請求項２に記載の車両用フロアマット。
【請求項４】
前記立体的なモチーフは、飾りであることを特徴とする請求項１乃至請求項３のいずれか１項に記載の車両用フロアマット。
【請求項５】
前記立体的なモチーフは、着脱可能で清掃ブラシとして機能することを特徴とする請求項１乃至請求項４のいずれか１項に記載の車両用フロアマット。
【請求項６】
前記立体的なモチーフは、消臭剤または芳香剤として機能することを特徴とする請求項１乃至請求項４のいずれか１項に記載の車両用フロアマット。
【発明の詳細な説明】
【技術分野】
【０００１】
この発明は、車両の座席部の足元に敷設するカーペット状あるいは樹脂表面状等の車両用フロアマットに関するものである。
【背景技術】
【０００２】
このような車両用フロアマットとして、例えば車両中央側の後部が切欠された形状で車両ドア側の後部が最も後方に突出した形状のマットであり、このドア側後方縁部付近に、車体フロア側に立設した係止ピンに夫々係止する係止孔を所定間隔を置いて二カ所設けたものがある（特許文献１）。
【特許文献１】特開２００３−２１０４
【発明の開示】
【発明が解決しようとする課題】
【０００３】
このように、係止ピン，係止孔を二カ所設けて固定したり、固定することなく置かれただけのものなどがあるが、マットには、例えば布（織物）、ゴム（樹脂）又はこれらの組み合わせからなり、カーペット状表面や樹脂（ラバー）表面のものなどがあり、例えば助手席や後部座席などの座席のマットの表面上に飲み物が入ったペットボトル、食べ物類、小さなバックや小物などを置くことがある。
【０００４】
ところで、マットの表面に飲み物が入ったペットボトル、食べ物類、小さなバックや小物などが置かれると、例えば車両がカーブ走行するとマットの表面上を移動して足に当たったりして邪魔になることがある。
【０００５】
この発明は、このような現状に鑑みなされたもので、簡単な構造で、座席のマットに小物などを置くことを可能で、かつファッション性の高い車両用フロアマットを提供することを目的としている。
【課題を解決するための手段】
【０００６】
かかる課題を解決するために、この発明は、以下のように構成した。
【０００７】
請求項１に記載の発明は、座席部の足元に敷設する車両用フロアマットであって、
マットの表面に、立体的なモチーフを設けたことを特徴とする車両用フロアマットである。
【０００８】
請求項２に記載の発明は、前記立体的なモチーフが着脱可能であることを特徴とする請求項１に記載の車両用フロアマットである。
【０００９】
請求項３に記載の発明は、前記立体的なモチーフは、前記マットの表面を仕切る仕切り壁を形成することを特徴とする請求項１または請求項２に記載の車両用フロアマットである。
【００１０】
請求項４に記載の発明は、前記立体的なモチーフは、飾りであることを特徴とする請求項１乃至請求項３のいずれか１項に記載の車両用フロアマットである。
【００１１】
請求項５に記載の発明は、前記立体的なモチーフは、着脱可能で清掃ブラシとして機能することを特徴とする請求項１乃至請求項４のいずれか１項に記載の車両用フロアマットである。
【００１２】
請求項６に記載の発明は、前記立体的なモチーフは、消臭剤または芳香剤として機能することを特徴とする請求項１乃至請求項４のいずれか１項に記載の車両用フロアマットである。
【発明の効果】
【００１３】
前記構成により、この発明は、以下のような効果を有する。
【００１４】
請求項１に記載の発明では、マットの表面に、立体的なモチーフを設けたことで、この立体的なモチーフがマットの表面に飲み物が入ったペットボトル、食べ物類、小さなバックや小物などが置かれ、例えば車両がカーブ走行することがあってもマットの表面上を移動することを防止し、簡単な構造で、座席のマットに小物などを置くことを可能にし、ファッション性の高い車両用フロアマットにすることができる。
【００１５】
請求項２に記載の発明では、立体的なモチーフが着脱可能であり、車両に乗車する者が自由な位置に立体的なモチーフを設け、仕切る位置を自由に決めることができる。
【００１６】
請求項３に記載の発明では、立体的なモチーフは、マットの表面を仕切る仕切り壁を形成することで、小さなバックや小物などを置く領域とすることができる。
【００１７】
請求項４に記載の発明では、立体的なモチーフは、飾りであり、マットに体裁よく小物などを置くようにすることができる。
【００１８】
請求項５に記載の発明では、立体的なモチーフは、着脱可能で清掃ブラシとして機能し、立体的なモチーフによりマットに入り込んだ小さな石や砂などを取り除くことが可能である。
【００１９】
請求項６に記載の発明では、立体的なモチーフは、消臭剤または芳香剤として機能し、立体的なモチーフにより車内の消臭効果、芳香剤の効果がある。
【図面の簡単な説明】
【００２０】
【図１】車両用フロアマットの平面図である。
【図２】立体的なモチーフの取り付け構造の形態を示す図である。
【図３】立体的なモチーフのモチーフ部分の実施の形態を示す図である。
【図４】他の実施の形態の車両用フロアマットの平面図である。
【図５】清掃ブラシとして機能する実施の形態を示す図である。
【図６】消臭剤または芳香剤として機能する実施の形態を示す図である。
【発明を実施するための形態】
【００２１】
以下、この発明の車両用フロアマットの実施の形態について説明する。この発明の実施の形態は、発明の最も好ましい形態を示すものであり、この発明はこれに限定されない。
【００２２】
この実施の形態の車両用フロアマットを、図１乃至図６に基づいて説明する。図１は車両用フロアマットの平面図、図２は立体的なモチーフの取り付け構造の形態を示す図、図３は立体的なモチーフのモチーフ部分の実施の形態を示す図、図４は他の実施の形態の車両用フロアマットの平面図、図５は清掃ブラシとして機能する実施の形態を示す図、図６は消臭剤または芳香剤として機能する実施の形態を示す図である。
【００２３】
この発明の車両用フロアマットは、図１に示すように、右ハンドル車、左ハンドル車に関係なく、運転席、助手席、右後部席、左後部席などの座席部の足元に敷設するマット１０である。
【００２４】
この実施の形態では、運転席の座席部の足元に敷設するマット１０について説明する。このマット１０には、例えば布（織物）、ゴム（樹脂）又はこれらの組み合わせからなり、カーペット状表面や樹脂（ラバー）表面のものなどがある。このマット１０には、表面の一部に、立体的なモチーフ２０を設けている。
【００２５】
この実施の形態の立体的なモチーフ２０は、モチーフ部分２１と、取り付け部分２２とを有する。この取り付け部分２２は、図２（ａ）に示すように、接着剤２３によりマット１０に固定する。また、図２（ｂ）に示すように、面的に着脱できる面ファスナー２４を設け、面ファスナー２４によって着脱可能とし、また取り付け部分２２は、図２（ｃ）に示すように、針部材２５によって着脱可能としてもよい。
【００２６】
モチーフ部分２１は、図１及び図２の実施の形態では造花であるが、図３に示すように、キャラクターなどとしてもよい。
【００２７】
立体的なモチーフ２０は、図１及び図４に示すように、マット１０の表面を仕切る仕切り壁を形成するように複数個並べて設けることができる。図１の実施の形態では、立体的なモチーフ２０を複数直線状に並べてマット１０の表面を仕切る仕切り壁が形成され、図４の実施の形態では、立体的なモチーフ２０を複数曲線状に並べてマット１０の表面を仕切る仕切り壁が形成されている。
【００２８】
このように、マット１０の表面に、立体的なモチーフ２０を設けたことで、この立体的なモチーフ２０がマット１０の表面に飲み物が入ったペットボトル、食べ物類、小さなバックや小物などが置かれ、車両がカーブ走行することがあってもマット１０の表面上を移動することを防止し、簡単な構造で、座席のマット１０に体裁よく小物などを置くことを可能にし、ファッション性の高い車両用フロアマットにすることができる。
【００２９】
また、立体的なモチーフ２０が着脱可能であることで、車両に乗車する者が自由な位置に立体的なモチーフ２０を設け、仕切る位置を自由に決めることができる。また、立体的なモチーフ２０は、マット１０の表面を仕切る仕切り壁を形成することで、小さなバックや小物などを置く領域とすることができる。
【００３０】
この実施の形態の立体的なモチーフ２０は、モチーフ部分２１を造花、キャラクターとしているが、これに限定されず飾りとすることで、マット１０に体裁よく小物などを置くようにすることが可能で、ファッション性の高い車両用フロアマットにすることができる。
【００３１】
立体的なモチーフ２０は、図５に示すように、モチーフ部分２１に刷け２１ａを設けることで、清掃ブラシとして機能する。この刷け２１ａは、モチーフ部分２１の例えば造花を形成する部材を刷けとしてもよく、また特別な部材を取り付けてもよい。この実施の形態では、立体的なモチーフ２０のモチーフ部分２１によりマット１０に入り込んだ小さな石や砂などを取り除くことが可能である。
【００３２】
また、立体的なモチーフ２０は、図６に示すように、モチーフ部分２１に消臭剤または芳香剤２１ｂを設けることで、消臭剤または芳香剤として機能する。この消臭剤または芳香剤２１ｂは、モチーフ部分２１に特別に設けているが、例えば造花を形成する部材を消臭剤または芳香剤で形成してもよい。この実施の形態では、立体的なモチーフ２０のモチーフ部分２１により車内の消臭効果、芳香剤の効果がある。
【産業上の利用可能性】
【００３３】
この発明は、車両の座席部の足元に敷設するカーペット状あるいは樹脂表面状等の車両用フロアマットに適用でき、簡単な構造で、座席のマットに小物などを置くことを可能で、かつファッション性が高い。
【符号の説明】
【００３４】
１０  マット
２０  立体的なモチーフ
２１  モチーフ部分
２１ａ  刷け
２１ｂ  消臭剤または芳香剤
２２  取り付け部分
２３  接着剤
２４  面ファスナー
２５  針部材
【図１】
2013233885.tif 000003
【図２】
2013233885.tif 000004
【図３】
2013233885.tif 000005
【図４】
2013233885.tif 000006
【図５】
2013233885.tif 000007
【図６】
2013233885.tif 000008